(57)【要約】　　　（修正有）【課題】ネットワークの主要装置、ＶＭＳＣ、ＧＭＳＣ、およびＨＬＲ等への改変を必要とせずに移動体番号ポータビリティ（ＭＮＰ）を実現する。【解決手段】従来の移動体ネットワーク標準の信号フローを利用し、ＮＰＤＢ＋装置だけの追加で達成する。元のネットワーク（ホームネットワーク）から第２ネットワーク（他のネットワーク）への番号ポータビリティのユーザは、第２ネットワークのユーザ間で番号ポータビリティ・アウト（ＮＰｏｕｔ）のユーザとなる。ユーザの番号領域は、そのネットワークに所属し、ユーザの番号ポータビリティ（ＮＰ）の状況を識別するよう仮想ローミング番号を割当てることができる。第２ネットワークからホームネットワークへの番号ポータビリティのユーザは、ホームネットワークのユーザ間で番号ポータビリティ・イン（ＮＰｉｎ）のユーザである。【効果】ネットワーク構造に改変を施すことなく、ＭＮＰを達成できる。【選択図】　図１
2004120726.tif 000002
【特許請求の範囲】
【請求項１】
ホームネットワークのディレクトリ番号を第２ネットワークへ伝達する方法であって、以下のステップを含むもの：
ユーザを前記ホームネットワークの呼出側が呼出すステップであって、前記ユーザの前記ホームネットワークのディレクトリ番号が前記第２ネットワークへ伝達され；
前記通話をＶＭＳＣＡへ回送するステップ；
ローミング番号を引出すためのＳＲＩ　ＲＥＱメッセージを、前記ＶＭＳＣＡによって前記ユーザのＨＬＲへ送信するステップであって、前記ユーザの前記ホームネットワークの前記ディレクトリ番号が前記第２ネットワークへ伝達され；ＰＲＮ　ＲＥＱメッセージを、前記ユーザの前記ＨＬＲによってＧＭＳＣＡへ送信するステップであって、前記ユーザの前記ホームネットワークの前記ディレクトリ番号は前記第２ネットワークへ伝達され；
前記受信されたＰＲＮ　ＲＦＱメッセージを前記ＧＭＳＣＡによって判定して、ＮＰＤＢ＋へのインテリジェントサービスを起動するステップ；
前記ホームネットワークの前記ディレクトリ番号が前記第２ネットワークへ伝達される前記ユーザを前記ＮＰＤＢ＋によって決定することにより、前記ユーザは本当に前記ホームネットワークディレクトリ番号が前記第２ネットワークへ伝達されるユーザであるか否かを判定するステップであって、前記決定が肯定である場合には仮想ローミング番号が割当てられて、ＣＯＮＮＥＣＴメッセージで前記ＧＭＳＣＡへ返送され；前記決定が否定である場合には、エラーコードが前記ＧＭＳＣＡへ戻し返送され；
前記仮想ローミング番号を、前記ＧＭＳＣＡによって前記ＨＬＲへＰＲＮ　ＲＳＰメッセージで返送するステップ；
前記仮想ローミング番号を、前記ＨＬＲによって前記ＧＭＳＣＡへＳＲＩ　ＡＣＫメッセージで返送するステップ；
前記仮想ローミング番号を前記ＶＭＳＣＡによって解析し、そして前記通話を前記ホームネットワークの従前のゲートウエイＭＳＣＢへ回送するステップ；
回送された番号に基づき、前記ゲートウエイＭＳＣＢによって前記通話をゲートウエイＭＳＣＣへ回送するステップ；および、
現在加入するネットワークを、前記ホームネットワークディレクトリ番号が前記第２ネットワークへ伝達される前記ユーザのために、前記ホームネットワークによって確定するステップ。
【請求項２】
請求項１の方法であって、
前記ホームネットワークの前記呼出側は前記ホームネットワークの移動体ユーザであり、前記呼出側は、呼出側端末センターでＮＰアウト・ユーザのためのローミング番号を引出す操作を実行する。
【請求項３】
請求項１の方法であって、
前記ホームネットワークの前記呼出側は前記ホームネットワークの位置固定ユーザであり、前記呼出側は前記ホームネットワークの前記ゲートウエイでＮＰアウト・ユーザのためのローミング番号を引出す操作を実行する。
【請求項４】
請求項１の方法であって、
前記仮想ローミング番号はＲＮ＋ＭＳＩＳＤＮの形式である。
【請求項５】
第２ネットワークのディレクトリ番号をホームネットワークへ伝達する方法であって、以下のステップを含む：
ユーザを前記ホームネットワークの呼出側によって呼出すステップであって、前記第２ネットワークのディレクトリ番号は前記ホームネットワークへ伝達され；
ローミング番号を引出すためのＳＲＩ　ＲＥＱメッセージを、前記第２ネットワークの全てのユーザのために、前記ＶＭＳＣＡによってＮＰＤＢ＋へ送信するステップ；
前記通話をＢＭＳＣＡによって回送するステップ；
ローミング番号を引出すためのＳＲＩ　ＲＥＱメッセージを、前記第２ネットワークの前記ユーザのために、前記ＧＭＳＣＡによって前記ＮＰＤＢ＋へ送信するステップ；
前記ＮＰＤＢ＋が前記ＳＲＩ　ＲＥＱメッセージを受信した後に、前記メッセージを、内部インタフェースを経由して内部ＮＰＨＬＲ機能モジュールへ中継するステップ；
前記ローミング番号を引出すための前記操作を、前記内部ＮＰＨＬＲ機能モジュールによって前記ホームネットワークのＶＭＳＣへ送信し、そして前記操作の結果を、正規のＳＲＩ　ＡＣＫメッセージによって前記ＧＭＳＣＡへ返送するステップ；および、
前記返送されたローミング番号／回送番号に基づき、前記通話を、前記ＧＭＳＣＡによってＶＭＳＣＢ／ＧＭＳＣＢへ回送するステップ。
【請求項６】
請求項５の方法であって、
前記ＮＰＨＬＲ機能モジュールがローミング番号を引出すための前記ＰＲＮ　ＲＥＱ操作を、前記ホームネットワークのＢＭＳＣへ送信した後に、前記方法は更に以下のステップを含む：
前記操作が断定的である場合、前記ユーザが前記ホームネットワークの前記ディレクトリ番号が前記第２ネットワークへ伝達されるユーザであることを指し示すステップ；および、前記操作が断定的でない場合、前記ユーザが前記第２ネットワークのユーザであることを指し示し、そして問合せを、前記ＮＰＨＬＲによって内部インタフェースを経由して前記ＮＰＤＢへ送信するステップ；前記ユーザが現在加入するネットワークを前記ＮＰＤＢにより決定し、そして前記回送番号を前記ＮＰＨＬＲへ返送し、よって前記断定的操作の前記ローミング番号または前記断定的でない操作の前記回送番号を取得するステップ。
【請求項７】
請求項６の方法であって、
前記ＮＰＨＬＲによって前記ＮＰＤＢへ送信される前記問合せは、前記ＮＰＤＢと前記ＮＰＨＬＲの前記内部インタフェースを経由して実行できる。
【発明の詳細な説明】
【０００１】
【発明の分野】
本発明は移動体通信の方法に関する。詳細には、本発明は移動体通信における番号ポータビリティ（ＮＰ）を実施する方法に関する。
【０００２】
【発明の背景】
移動体番号ポータビリティ（ＭＮＰ）とは、ネットワークがユーザへ提供する機能のことであり、元のＭＳＩＳＤＮ番号を移動体ユーザが変更できるようにすることではなくて、同一国内で加入ネットワークを移動体ユーザが変更できるようにする。移動体番号ポータビリティ（ＭＮＰ）の実現は、ユーザの利益を保護し、公正な競争を促し、ネットワーク効率を向上させるとともに、関連コストを削減する。
【０００３】
一般に、移動体番号ポータビリティ（ＭＮＰ）を実現する方式は３種類ある。すなわち、インテリジェントネットワーク方式、ＳＴＰ（信号転送点）モードを使用してＭＮＰ＿ＳＴＰ（移動体番号ポータビリティの信号転送点）を実現する信号中継方式、およびフォワード転送方式である。インテリジェントネットワーク方式とフォワード転送方式は、音声サービスの移動体番号ポータビリティ（ＭＮＰ）を解決するために使用され、ＭＮＰ＿ＳＴＰ信号中継方式は、音声サービスと非音声サービスの移動体番号ポータビリティ（ＭＮＰ）を解決するために使用される。運用エージェントが使用するネットワークの物理的要件および条件により、これらの方式の実施細部は異なる。インテリジェントネットワークおよびＭＮＰ＿ＳＴＰ信号中継によって移動体番号ポータビリティ（ＭＮＰ）を実現するための原理は＜＜ＥＳＴＩ　ＧＳＭ　０３．６６＞＞に導入されている。しかし、移動体番号ポータビリティ（ＭＮＰ）を実現するための方式は具体的に明示されてはいない。従って、インテリジェントネットワーク技術に基づき、かつインテリジェントネットワークに実装されて、移動体番号ポータビリティ（ＭＮＰ）を実現する方法に対するニーズがある。かかる方法は、関連する既知のプロトコルのいずれも言及したことはなく、またＭＮＰを開発した運用エージェントのいずれも採用するに至っていない。
【０００４】
既に大規模なネットワークと多数のユーザを抱える移動体ネットワークを対象に、移動体番号ポータビリティ（ＭＮＰ）のサービス実現にとって、上記３種類の方式が持つ欠点はおよそ以下の通りである。
【０００５】
（１）ＭＮＰ＿ＳＴＰ信号中継方式を採用する場合の欠点：
１．信号ネットワークを再構築する必要がある。直接リンクを、それらが直接的に接続されないモードへ変更する必要があるが、それによって従前のネットワークへ著しい影響を及ぼす。
【０００６】
２．移動体サービスが呼出されるたびに、たとえ初期期間にユーザが少数であっても、それはＭＮＰ＿ＳＴＰを通過するかもしれない。
【０００７】
３．それが＜＜ＥＳＴＩ　ＧＳＭ　０３．６６＞＞に導入した方式に基づく場合、運用エージェント間の相互作用の実現が必要となる。
【０００８】
（２）＜＜ＥＳＴＩ　ＧＳＭ　０３．６６＞＞規格に導入されたインテリジェントネットワーク方式を採用する場合の欠点：
１．ネットワーク全体の、訪問先移動体サービスセンター（ＶＭＳＣ）とゲートウエイ移動体サービスセンター（ＧＭＳＣ）から成る装置に対して、ソフトウエアを頻繁にアップグレードする必要がある。
【０００９】
２．音声サービスの移動体番号ポータビリティ（ＭＮＰ）だけを解決できる。非音声サービスの移動体番号ポータビリティ（ＭＮＰ）サービスを解決できない。
【００１０】
（３）フォワード転送方式の欠点：
１．フォワード転送方式が導入する通話一覧は、訪問先移動体サービスセンター（ＶＭＳＣ）およびゲートウエイ移動体サービスセンター（ＧＭＳＣ）で作成できる。しかし、通話一覧は料金を計量するすなわち計算するために使用することができない。また、計量センターによって通話一覧を確認および／または削除することが必要になるかもしれない。従って、運用システムはこの種の操作を管理する必要がある。
【００１１】
２．故障の影響は呼出側のサービスを損ない、呼出されているユーザのフォワード転送サービスを損なう。
【００１２】
【発明の概要】
上記方式の欠点に着目し、本発明の技術方式は、従来の複数の移動体ネットワーク標準の信号フローを利用することによって移動体番号ポータビリティ（ＭＮＰ）を実現する方法を提供する。これらの技術を利用することによって、従来のネットワークの主要装置、例えば、訪問先ＭＳＣ（ＶＭＳＣ）、ゲートウエイＭＳＣ（ＧＭＳＣ）、およびホーム位置レジスタ（ＨＬＲ）などへの改変が何ら必要なく、ＮＰＤＢとＮＰＨＬＲの組合せとしての機能を果たすＮＰＤＢ＋（番号ポータビリティデータベース＋）装置だけが必要となり、これが追加される。音声サービスのＭＮＰはこの方式によって解決されることができる一方、ＮＰＤＢ＋の機能が非音声サービスへ拡張される場合は、非音声サービスのＭＮＰも解決できる。この方法では、元のネットワークから他方のネットワークへのユーザの番号ポータビリティは、番号区分が他方のネットワークに所属する他方のネットワークのユーザ間で番号ポータビリティ・アウト（ＮＰ　ｏｕｔ）ユーザになることが可能である。また、この方法は仮想ローミング（徘徊）番号を割当てて、ユーザの番号ポータビリティ（ＮＰ）の状況を識別し、それとは別に、他方のネットワークからホームネットワークへのユーザの番号ポータビリティは、ホームネットワークのユーザ間で番号ポータビリティ・イン（ＮＰ　ｉｎ）ユーザとなることが可能である。ホームネットワークへ加入するＭＮＰ移動体ユーザのデータを格納して、それに関連する機能を果たすために、ＮＰＤＢ＋装置が新たに構築される。
【００１３】
ホームネットワークから第２ネットワークへの、ユーザの番号ポータビリティを実施する方法は以下のステップを含む：
ユーザをホームネットワークの呼出側が呼出すステップであって、ユーザのホームネットワークのディレクトリ番号が前記第２ネットワークへ伝達され；
通話をＶＭＳＣＡへ回送するステップ；
ローミング（徘徊）番号を引出すためのＳＲＩ　ＲＥＱメッセージを、ＶＭＳＣＡによってユーザのＨＬＲへ送信するステップであって、ユーザのホームネットワークのディレクトリ番号が第２ネットワークへ伝達され；
ＰＲＮ　ＲＥＱメッセージを、ユーザのＨＬＲによってＧＭＳＣＡへ送信するステップであって、ユーザのホームネットワークのディレクトリ番号は第２ネットワークへ伝達され；
受信されたＰＲＮ　ＲＦＱメッセージをＧＭＳＣＡによって判定して、ＮＰＤＢ＋へのインテリジェントサービスを起動するステップ；
ホームネットワークのディレクトリ番号が第２ネットワークへ伝達されるユーザをＮＰＤＢ＋によって決定することにより、ユーザは本当にそのホームネットワークディレクトリ番号が第２ネットワークへ伝達されるユーザであるか否かを判定するステップであって、その決定が肯定である場合には仮想ローミング番号が割当てられてＣＯＮＮＥＣＴメッセージでＧＭＳＣＡへ戻され、その決定が否定である場合にはエラーコードがＧＭＳＣＡへ戻され；
仮想ローミング番号を、ＧＭＳＣＡによってＰＲＮ　ＲＳＰメッセージでＨＬＲへ戻すステップ；
仮想ローミング番号を、ＨＬＲによってＧＭＳＣＡへＳＲＩ　ＡＣＫメッセージで戻すステップ；
仮想ローミング番号をＶＭＳＣＡによって解析し、そして通話をホームネットワークの従前のゲートウエイＭＳＣＢへ回送するステップ；
回送された番号に基づき、ゲートウエイＭＳＣＢによって通話をゲートウエイＭＳＣＣへ回送するステップ；および、
現在加入するネットワークを、ホームネットワークディレクトリ番号が第２ネットワークへ伝達されるユーザのために、ホームネットワークによって確定するステップ。
【００１４】
ホームネットワークのディレクトリ番号を第２ネットワークへ伝達する方法において、ホームネットワークの呼出側はホームネットワークの移動体ユーザであり、呼出側は、呼出側端末センターでＮＰアウト・ユーザのためのローミング番号を引出す操作を実行する。
【００１５】
ホームネットワークのディレクトリ番号を第２ネットワークへ伝達する方法において、ホームネットワークの呼出側はホームネットワークの位置固定ユーザであり、呼出側はホームネットワークのゲートウエイでＮＰアウト・ユーザのローミング番号を引出す操作を実施する。
【００１６】
ホームネットワークのディレクトリ番号を第２ネットワークへ伝達する方法において、仮想ローミング番号はＲＮ＋ＭＳＩＳＤＮの形式である。
【００１７】
第２ネットワークのディレクトリ番号をホームネットワークへ伝達する方法であって、以下のステップを含む：
ユーザをホームネットワークの呼出側によって呼出すステップであって、第２ネットワークのディレクトリ番号はホームネットワークへ伝達され；
通話をＶＭＳＣＡへ回送するステップ；
ローミング番号を引出すためのＳＲＩ　ＲＥＱメッセージを、第２ネットワークのユーザのために、ＶＭＳＣＡによってＮＰＤＢ＋へ送信するステップ；
通話をＢＭＳＣＡによってＧＭＳＣＡへ回送するステップ；
ローミング番号を引出すためのＳＲＩ　ＲＥＱメッセージを、第２ネットワークのユーザのために、ＧＭＳＣＡによってＮＰＤＢ＋へ送信するステップ；
ＮＰＤＢ＋がＳＲＩ　ＲＥＱメッセージを受信した後に、メッセージを、内部インタフェースを経由して内部ＮＰＨＬＲ機能モジュールへ中継するステップ；ローミング番号を引出すためのＰＲＮ　ＲＥＱ操作を、内部ＮＰＨＬＲ機能モジュールによってホームネットワークのＶＭＳＣへ送信し、そして操作の結果を、正規のＳＲＩ　ＡＣＫメッセージによってＧＭＳＣＡへ戻すステップ；および、
戻されたローミング番号／回送番号に基づき、通話を、ＧＭＳＣＡによってＶＭＳＣＢ／ＧＭＳＣＢへ回送するステップ。
【００１８】
ホームネットワークのディレクトリ番号を第２ネットワークへ伝達する方法であって、ＮＰＨＬＲ機能モジュールが、ローミング番号を引出すためのＰＲＮ　ＲＥＱ操作を、ホームネットワークのＢＭＳＣへ送信した後に、更に、以下のステップを含む：
操作が断定的である場合、ユーザはホームネットワークのディレクトリ番号が第２ネットワークへ伝達されるユーザであることを指し示すステップ；および、操作が断定的でない場合、ユーザが第２ネットワークのユーザであることを指し示し、そして問合せを、ＮＰＨＬＲによって内部インタフェースを経由してＮＰＤＢへ送信するステップ；ユーザが現在加入するネットワークをＮＰＤＢにより決定し、そして回送番号をＮＰＨＬＲへ返送し、よって断定的操作のローミング番号または断定的でない操作の回送番号を取得するステップ。
【００１９】
ホームネットワークのディレクトリ番号を第２ネットワークへ伝達する方法において、ＮＰＨＬＲによってＮＰＤＢへ送信される問合せは、ＮＰＤＢとＮＰＨＬＲの内部インタフェースを経由して実行してもよい。
【００２０】
本発明の利点は以下の利点を含む。すなわち、従前のネットワークへの影響が少なくて、ネットワークの構造の改変を必要としないＧＭＳＣまたはＮＰＤＢ＋の改変に集中できること；ＮＰＤＢ＋のデータを格納するために分散技術を使用していて、データベースの信頼性が高いので遠回りの音声回路がこの方式には無く、かつネットワーク間での計量が容易であること；新たに追加されるＮＰＤＢ＋は従前のネットワークへの上載せであるので、早期の期間中でユーザが少ないときに少量の構築だけが必要とされ、ネットワーク容量の拡張は、ＭＮＰサービスの進展状態に基づいて装置を部分的に追加することにより完了できること；ネットワークの拡張性は卓越しており、殊に、非常に大規模な従前のネットワークを保有する移動体運用エージェントにとって好適であること。
【００２１】
ＭＮＰ＿ＳＴＰ信号法の中継モードに比較すると、ＭＮＰユーザ番号は、運用エージェントに所属する位置レジスタに支配されるが、それでもユーザデータはＨＬＲに格納される。
【００２２】
番号ポータビリティのサービスは、本発明の方法を採用することによって実現される。ホームネットワークのＮＰアウト・ユーザに関しては、ホームネットワークの呼出側がＮＰアウト・ユーザを呼出すとき、ホームネットワークのＮＰアウト・ユーザが現在加入するネットワークはホームネットワーク内で判定されるべきであり、通話は正しくネットワークへ回送できる。ホームネットワークのＮＰイン・ユーザに関しては、ホームネットワークの呼出側がＮＰイン・ユーザを呼出すとき、通話は、ネットワークに所属するユーザの番号領域までの遠回りの経路をたどるべきではなく、音声回路の接続はホームネットワーク内で行われるべきである。ホームネットワークのＮＰイン・ユーザが呼出されるとき、本発明の方法を採用することによって２つの編成モードの呼出経路ができる。第１モードでは、移動体端末センターがそのネットワーク番号コード領域のＳＣＣＰ回送データを作成することを回避するために、ユーザが既にＮＰインであるか否かを、ホームネットワークの移動体端末センターが判定する必要はなく、必要なことは、新たに構築されたＧＭＳＣ（ＮＰ＿ＧＭＳＣ）へ処理のために通話を回送することだけである。第２モードでは、移動体端末センターがそのネットワーク番号コード領域のＳＣＣＰ回送データを直接的に作成し、回送情報を引出すための呼出しメッセージがＮＰＤＢ＋へ直接的に送られ、そしてユーザの正しい回送情報が、ＮＰＤＢ＋によって、応答メッセージで戻される。ユーザがＮＰイン・ユーザである場合は、ホームネットワークのローミング番号が戻される。ユーザがＮＰイン・ユーザでない場合は、通過ネットワーク番号が伝達される被呼出移動体ユーザの番号が戻される。第２ネットワークからホームネットワークまでの、ＮＰイン・ユーザによるホームネットワークのＧＭＳＣへの影響をマスクするために、ＮＰＤＢ＋は、標準規格を備える移動体インテリジェントネットワークを基に構築される。
【００２３】
移動体番号ポータビリティを実現するために、本発明で先に記載した仮想ローミング番号およびＮＰＤＢ＋方式の他に、フォワード転送方式、インテリジェント方式、および、ＭＮＰ＿ＳＴＰ信号中継方式がある。しかし、後者のこれら３方式は先に説明した欠点を伴う。言うまでもなく、上記３方式の内容の一部を用いて、ホームネットワークのＮＰアウト・ユーザまたは第２ネットワークのＮＰイン・ユーザの状態を解決してもよい。
【００２４】
本発明が関連する方式は、移動体番号ポータビリティのサービスを、現段階では提案されてはいない新規な方法で実現することである。その主要な特徴は以下の通りである：
１．ＭＮＰサービス情報は、ローミング番号を引出すための信号フロープロセスにおいてＭＳＲＮ（Ｇネットワーク）またはＴＬＤＮ（Ｃネットワーク）のワードフィールドを利用することによって転送され；
２．ＭＮＰを実施するための信号フロープロセスは、上記各方式で記載したように働き；
３．ＮＰＤＢとＮＰＨＬＲが組込まれ；
４．ＮＰＤＢとＮＰＨＬＲはインタフェース情報を介して通信し；
５．ローミング番号を引出せなかった後は、エラーが返送されない。
【００２５】
【好ましい実施の形態の詳細な説明】
本発明の第１の実施の形態を図１に図解する。この実施の形態は、ホームネットワークのディレクトリ番号が第２ネットワークつまり他のネットワークへ伝達されるＮＰアウト・ユーザを、ホームネットワークユーザが呼出すためのフロープロセス１００を備えている。すなわち、ホームネットワークのＮＰアウト・ユーザの音声サービスが以下の仮想ローミング番号方式によって実施される。
【００２６】
（Ａ）ホームネットワークの移動体ユーザが、ホームネットワークのディレクトリ番号が第２ネットワークへ伝達されるＮＰアウト・ユーザを呼出すフロープロセスにおいて、このプロセスが以下の操作を含む：
１．ホームネットワークの移動体ユーザＡが、ホームネットワークの元の移動体ユーザＢ（ＮＰアウト）を呼出すための通話を発動し、その通話がＶＭＳＣＡへ回送され；
２．ローミング番号を引出すためのＳＲＩ　ＲＥＱメッセージがＶＭＳＣＡによってユーザＢに所属するＨＬＲへ送信され；
３．ＰＲＮ　ＲＥＱメッセージ（ユーザのＩＭＳＩ番号）が、ユーザＢに所属するＨＬＲによってＧＭＳＣＡへ送信される（ユーザがＮＰサービスを取扱うとき、ユーザデータがＧＭＳＣＡに格納され、そして位置更新が、（ＶＬＲをシミュレートする）ＧＭＳＣＡによって、ユーザＢに所属するＨＬＲへ送信され、ＧＭＳＣＡの番号はＨＬＲに格納される）；
４．受信されたＰＲＮ　ＲＥＱメッセージはＧＭＳＣＡによって決定されて、インテリジェントサービスがＮＰＤＢ＋に対して起動され（ＩＤＰメッセージ）；
５．ユーザＢがＮＰアウト・ユーザであるか否かがＮＰＤＢ＋によって決定され、そうである場合は、仮想ローミング番号が（ＲＮ＋ＭＳＩＳＤＮの形式で）割当てられ、それはＣＯＮＮＥＣＴメッセージでＧＭＳＣＡへ返送され、ユーザＢがＮＰアウト・ユーザでない場合は、エラーコードがＧＭＳＣＡへ返送され；
６．仮想ローミング番号が、ＧＭＳＣＡによってＨＬＲへＰＲＮ　ＲＳＰメッセージで返送され；
７．仮想ローミング番号は、ＨＬＲによってＧＭＳＣＡへＳＲＩ　ＡＣＫメッセージで返送され；
８．仮想ローミング番号がＶＭＳＣＡによって解析され（解析の結果に基づき）、そして通話がホームネットワークの現在のゲートウエイＧＭＳＣＢへ回送される。番号の形式はＲＮ＋ＭＳＩＳＤＮであり、番号の種類はＭＳＲＮである；
９．通話は、ＧＭＳＣＢによって運用エージェント２のゲートウエイＧＭＳＣＣへＲＮに基づき回送してもよい。番号の形式はＲＮ＋ＭＳＩＳＤＮＢであり、番号の種類はＭＳＩＳＤＮＢである。
【００２７】
（Ｂ）ホームネットワークのディレクトリ番号が第２ネットワークつまり他のネットワークへ伝送されるＮＰアウト・ユーザをホームネットワークの位置固定ユーザが呼出す（この条件は、位置固定ユーザが、第２ネットワークつまり他のネットワークのＮＰイン・ユーザを呼出すのと同じである）。
【００２８】
呼出側がホームネットワークの移動体ユーザである条件の下では、位置固定ユーザがホームネットワークのＮＰアウト・ユーザを呼出す場合と、ホームネットワークの移動体ユーザがホームネットワークのＮＰアウト・ユーザを呼出す場合との間のフロープロセスの唯一の違いは、ローミング番号を引出す操作が呼出側端末で発動できる点である。すなわち、呼出側がＰＳＴＮである条件の下では、ローミング番号を引出す操作をホームネットワークのゲートウエイで発動できる。
【００２９】
本発明の第２の実施の形態を図２に図解する。この実施の形態は、ホームネットワークの移動体ユーザが、第２ネットワークつまり他のネットワークのディレクトリ番号がホームネットワークへ伝達されるＮＰイン・ユーザを呼出すフロープロセス２００、およびホームネットワークの移動体ユーザが、第２つまり他のネットワークのディレクトリ番号がホームネットワークへ伝達されないＮＰイン・ユーザを呼出すフロープロセスとを備えている。すなわち：
１．第２ネットワークつまり他のネットワークのユーザＢへのホームネットワークの移動体ユーザＡによって発動される通話は、ＶＭＳＣＡからＧＭＳＣＡへ回送でき；
２．ローミング番号を引出すＳＲＩ　ＲＥＱメッセージが、第２ネットワークつまり他のネットワークのユーザのために、ＧＭＳＣＡによってＮＰＤＢ＋へ送信され；
３／４／５．ＳＲＩ　ＲＥＱメッセージがＮＰＤＢ＋によって受信され、そのメッセージは、ＮＰＤＢ＋によって先ず内部ＮＰＨＬＲ機能モジュールへ内部インタフェース経由で中継され、次に、ユーザがホームネットワークに存在するか否かがＮＰＨＬＲによって決定され；ユーザが存在する場合は、ホームネットワークのＶＭＳＣＢからローミング番号を引出す操作がＮＰＨＬＲによって発動されて、ユーザの実際のローミング番号を取得し、そして、それがＧＭＳＣＡへＳＲＩ　ＡＣＫメッセージで返送され；ユーザが存在しない場合、ユーザが現在加入するネットワークは、ＮＰＨＬＲによってＮＰＤＢの内部インタフェース経由で決定され、そして回送番号（ＲＮ＋ＭＳＩＳＤＮ）が、ＧＭＳＣＡへＳＲＩ　ＡＣＫメッセージでローミング番号として返送される。ＮＰＨＬＲからＮＰＤＢへ発動される問合せがＮＰＨＬＲの内部インタフェースとＮＰＤＢ経由で行われ、それはＧＭＳＣに対してトランスペアレントである。ＮＰＤＢ＋内のＮＰＤＢモジュールとＮＰＨＬＲモジュールとの間のインタフェースでは、ローミング番号受信後にＮＰＨＬＲは、ＮＰＤＢの問合せを発動する機能を要求し、ＮＰＤＢモジュールは、問合せに応答する機能を要求する。ＮＰＨＬＲモジュールまたはＮＰＤＢモジュールのもう一つの機能は、１つの単一ＨＬＲまたは単一ＮＰＤＢの機能と同じである。
【００３０】
６／７．通話は、ＮＰＤＢ＋によって返送されたローミング番号／回送番号に基づき、ＧＭＳＣＡによってＶＭＳＣＢ／ＧＭＳＣＢへ回送されてもよい。
【００３１】
本発明で使用される略語の定義は以下の通りである：
ＭＮＰ（Ｍｏｂｉｌｅ　Ｎｕｍｂｅｒ　Ｐｏｒｔａｂｉｌｉｔｙ）：移動体番号ポータビリティ
ＭＮＰ＿ＳＴＰ（ＭＮＰ　Ｓｉｇｎａｌｉｎｇ　Ｔｒａｎｓｆｅｒ　Ｐｏｉｎｔ）：ＭＮＰ信号転送点
ＤＮ（Ｄｉｒｅｃｔｏｒｙ　Ｎｕｍｂｅｒ）：ディレクトリ番号
ＲＮ（Ｒｏｕｔｉｎｇ　Ｎｕｍｂｅｒ）：回送番号
ＭＳＩＤＳＮ（Ｍｏｂｉｌｅ　Ｓｔａｔｉｏｎ　ＩＳＤＮ　Ｎｕｍｂｅｒ）：移動体ステーションＩＳＤＮ番号
ＭＳＣ（Ｍｏｂｉｌｅ　Ｓｔａｔｉｏｎ　Ｃｅｎｔｅｒ）：移動体ステーションセンター
ＶＭＳＣ（Ｔｈｅ　Ｖｉｓｉｔｅｄ　ＭＳＣ）：訪問先ＭＳＣ
ＧＭＳＣ（Ｇａｔｅｗａｙ　ＭＳＣ）：ゲートウエイＭＳＣ
ＨＬＲ（Ｈｏｍｅ　Ｌｏｃａｔｉｏｎ　Ｒｅｇｉｓｔｅｒ）：ホーム位置レジスタ
ＩＤＰ（Ｉｎｉｔｉａｌ　Ｄｅｔｅｃｔｉｏｎ　Ｐｏｉｎｔ）：当初検出点
ＮＰＤＢ（Ｎｕｍｂｅｒ　Ｐｏｒｔａｂｉｌｉｔｙ　Ｄａｔａ　Ｂａｓｅ）：番号ポータビリティデータベース
ＮＰＨＬＲ（Ｎｕｍｂｅｒ　Ｐｏｒｔａｂｉｌｉｔｙ　ＨＬＲ）：番号ポータビリティＨＬＲ
ＳＲＩ（Ｓｅｎｄ　Ｒｏｕｔｉｎｇ　Ｉｎｆｏｒｍａｔｉｏｎ）：回送情報を送れ
ＰＲＮ（Ｐｒｏｖｉｄｅ　Ｒｏａｍｉｎｇ　Ｎｕｍｂｅｒ）：ローミング番号を供給せよ
ＮＰｉｎ（Ｎｕｍｂｅｒ　Ｐｏｒｔａｂｉｌｉｔｙ　ｉｎ）：番号ポータビリティ・イン
ＮＰｏｕｔ（Ｎｕｍｂｅｒ　Ｐｏｒｔａｂｉｌｉｔｙ　ｏｕｔ）：番号ポータビリティ・アウト
上記の説明および図面からして当該技術に通常に精通するものにとって言うまでもなく、図示および説明された特定の実施の形態は例証だけを目的とするものであり、本発明の範囲を限定することを意図するものではない。本発明は、その精神または本質的特性から逸脱することなく、他の特定の形態に具現化できることは、当該技術に通常に精通する者は分かるであろう。特定の実施の形態の詳細に対する言及は、発明の範囲を限定することを意図してはいない。
【図面の簡単な説明】
【図１】図１は、本発明の原理に従って、ホームネットワークのディレクトリ番号を第２ネットワークへ伝達するＮＰアウト・ユーザを、ホームネットワークのユーザが呼出す一方法の操作のフローチャートである。
【図２】図２は、本発明の原理に従って、第２ネットワークのディレクトリ番号をホームネットワークへ伝達するＮＰイン・ユーザを、ホームネットワークのユーザが呼出す一方法の操作のフローチャートである。
【図１】
2004120726.tif 000003
【図２】
2004120726.tif 000004
【外国語明細書】
2004120726.tif 000005
2004120726.tif 000006
2004120726.tif 000007
2004120726.tif 000008
2004120726.tif 000009
2004120726.tif 000010
2004120726.tif 000011
2004120726.tif 000012
2004120726.tif 000013
2004120726.tif 000014
2004120726.tif 000015
2004120726.tif 000016
2004120726.tif 000017
2004120726.tif 000018
2004120726.tif 000019
2004120726.tif 000020
2004120726.tif 000021